(57)【特許請求の範囲】
【請求項１】
車両の操舵系機構及び駆動系機構のうちの少なくとも一方を構成する可動部材に係脱するロック手段と、そのロック手段を駆動するアクチュエータと、そのアクチュエータの駆動を制御する制御手段とを備える電子式車両盗難防止装置であって、
前記制御手段の給電経路に同給電経路を遮断・導通する給電規制手段を設け、車両が運転されているときに前記給電経路を遮断し、
さらに、前記ロック手段が前記可動部材から離脱した状態で開状態となるとともに、該ロック手段が前記可動部材に係合した状態で閉状態となるロック位置検出スイッチを、前記給電規制手段と並列に接続したことを特徴とする電子式車両盗難防止装置。
【発明の詳細な説明】
【０００１】
【発明の属する技術分野】
本発明は、例えば電子制御によりステアリングの回転操作を不能にする電子式ステアリングロック装置などとして具体化される電子式車両盗難防止装置に関するものである。
【０００２】
【従来の技術】
従来、車両の盗難を防止する車両盗難防止装置として、例えばステアリングロック装置が広く用いられている。そこで、従来のステアリングロック装置の一例を図１３に示す。
【０００３】
同図に示すように、ステアリングロック装置５１は、キーシリンダ５４及びロックピン５２を備えている。キーシリンダ５４に図示しないメカキーを挿入して回転操作すると、ロックピン５２が作動してステアリングシャフト５３に係脱するようになっている。そして、ロックピン５２がステアリングシャフト５３に係合した状態においては、ステアリングシャフト５３及び図示しないステアリングホイールが回転不能（ステアリングロック状態）となる。すなわち、車両の操縦を行うようにするためには、メカキーを用いてロックピン５２とステアリングシャフト５３との係合を解除する必要がある。よって、車両の盗難を防止することができる。
【０００４】
また、近年では、メカキーを用いずにエンジンを始動可能な電子キーシステムが普及しつつある。こうした事情からも、将来的には、モータ等のアクチュエータの駆動を電気的に制御し、該アクチュエータによってステアリングロックを行う電子式ステアリングロック装置等の電子式盗難防止装置が要望されている。
【０００５】
【発明が解決しようとする課題】
ところで、電子式ステアリングロック装置では、電子制御装置（ＥＣＵ）によってアクチュエータの駆動を制御する必要がある。しかし、ＥＣＵは、電気的なノイズによって誤作動してしまうおそれがある。このため、作動を必要としないときにアクチュエータが駆動してしまい、ステアリングロック状態となってしまうおそれがある。特に車両の走行中にステアリングロック状態となってしまうことを確実に避ける必要があるため、こうした電子式ステアリングロック装置の実用化が困難であった。
【０００６】
本発明はこうした実情に鑑みてなされたものであり、その目的は、誤作動を確実に防止することができる電子式車両盗難防止装置を提供することにある。
【０００７】
【課題を解決するための手段】
上記の課題を解決するために、請求項１に記載の発明では、車両の操舵系機構及び駆動系機構のうちの少なくとも一方を構成する可動部材に係脱するロック手段と、そのロック手段を駆動するアクチュエータと、そのアクチュエータの駆動を制御する制御手段とを備える電子式車両盗難防止装置であって、前記制御手段の給電経路に同給電経路を遮断・導通する給電規制手段を設け、車両が運転されているときに前記給電経路を遮断し、さらに、前記ロック手段が前記可動部材から離脱した状態で開状態となるとともに、該ロック手段が前記可動部材に係合した状態で閉状態となるロック位置検出スイッチを、前記給電規制手段と並列に接続したことを要旨とする。
【０００９】
以下、本発明の「作用」について説明する。
請求項１に記載の発明によると、車両が運転されているときには制御手段に電力が供給されなくなるため、制御手段によるアクチュエータの駆動は確実に禁止される。車両が運転されているときには、ノイズなどに起因して電子式車両盗難防止装置が誤作動してしまうことはない。
【００１０】
なお、「車両が運転されているとき」とは、シフトポジションがパーキングポジションに位置していないとき、エンジンが駆動しているとき、機能ポジションが「ＯＮ」の状態にあるとき、エンジンを始動可能な状態にあるときのうちの少なくとも１つの条件を満たすときであるものと定義する。また、「エンジンを始動可能な状態にあるとき」とは、例えば、所有者によって所持される携帯機に設定されたＩＤコードと車両に設定されたＩＤコードとが一致した状態にあるときや、車両に設けられたキーシリンダに正規のメカキーが装着された状態にあるときなどである。
【００１１】
また、給電規制手段によって制御手段の給電経路が遮断されても、ロック手段が可動部材から離脱するまでアクチュエータは駆動しつづけるようになる。このため、たとえロック手段が可動部材から離脱する前に給電規制手段によって制御手段の給電経路が遮断されても、可動部材の動きが規制されてしまうことがない。すなわち、ロック手段を可動部材から確実に離脱させることができる。
【００１２】
【発明の実施の形態】
（第１実施形態）
以下、本発明を電子式ステアリングロック装置に具体化した第１実施形態を図１〜図４に基づき詳細に説明する。
【００１３】
図１〜図３に示すように、電子式ステアリングロック装置１は、車両の図示しないステアリングポストに取り付けられるものである。電子式ステアリングロック装置１を構成するケース本体２は略箱状をなしている。ケース本体２は、カバー３をロックボディ４に取り付けることによって構成されるようになっている。
【００１４】
図２及び図３に示すように、カバー３の内側面には、合成樹脂製の収容ケース１１が設置されている。収容ケース１１は、第１のケース１１ａと第２のケース１１ｂとを組み合わせることによって構成されている。収容ケース１１にはプリント基板１２が収容されている。プリント基板１２は、第２のケース１１ｂにネジ１３を螺着させることによって固定されている。プリント基板１２には、制御手段としての制御ＥＣＵ３１を構成するＩＣやコンデンサ等の電気部品１２ａが複数箇所に実装され、後述する制御ＥＣＵ３１が構成されている。また、プリント基板１２には、電線１４が電気的に接続されるようになっている。この電線１４は、ケース本体２の外部に延出され、後述する照合ＥＣＵ３７に接続されている。
【００１５】
図１に示すように、ロックボディ４には、略円弧状をなす取付部４ａが図１に示す左側方向に延出形成されている。取付部４ａは、ボルトによってコラムチューブに取り付けられている（図示略）。コラムチューブ内には、可動部材としてのステアリングシャフト５が挿通されている。ステアリングシャフト５の外周面には、凹部５ａが設けられている。図３に示すように、ロックボディ４には、断面略矩形状をなすガイド孔４ｂが設けられている。ガイド孔４ｂは前記取付部４ａと対応するように配設されている。また、ガイド孔４ｂは、ケース本体２が前記コラムチューブに取り付けられた際に、コラムチューブの内部と連通するようになっている。
【００１６】
図３に示すように、ガイド孔４ｂ内には、ロック手段としてのロックピン２１がガイド孔４ｂに沿って移動可能に配設されている。ロックピン２１の基端部には、被押圧部２１ａ及び引込用ストッパ２２が設けられている。また、ロックピン２１の先端部は、ロックボディ４の外側面から出没可能になっている。ロックピン２１は、略四角柱状かつ断面略矩形状に形成されている。ロックピン２１の断面積は、ガイド孔４ｂの断面積よりも小さくなっている。ロックピン２１の先端部は、前記凹部５ａに係脱可能になっている。
【００１７】
図２に示すように、ケース本体２内には、アクチュエータとしてのモータ２３が収容されている。モータ２３を挿通する第１回転軸２４の先端部における外周面には、摺動ピン２５が当接するようになっている。この摺動ピン２５は、第１回転軸２４の位置決めを行うためのものである。また、第１回転軸２４には、ウォームギア２６が外嵌されている。ウォームギア２６は、第１回転軸２４の回転に連動するようになっている。そして、ウォームギア２６は、平歯車２７に噛み合うことによって、同平歯車２７を駆動するようになっている。平歯車２７は、第２回転軸２８を中心として回転するようになっている。尚、第２回転軸２８は平歯車２７に固定されている。
【００１８】
図３に示すように、第２回転軸２８には略扇型状のカム２９が固定されている。同カム２９は、モータ２３を正回転させたときに、第２回転軸２８を中心として時計回り方向（矢印Ｆ１方向）に回転するようになっている。カム２９は、モータ２３を逆回転させたときに、第２回転軸２８を中心として反時計回り方向（矢印Ｆ２方向）に回転するようになっている。このカム２９は、平歯車２７と同一の方向に回転するようになっている。このため、カム２９を矢印Ｆ１方向に回転させた場合には、同カム２９によって前記引込用ストッパ２２が押圧され、ロックピン２１の先端部と凹部５ａとの係合が解除される。一方、カム２９を矢印Ｆ２方向に回転させた場合には、同カム２９によってロックピン２１の被押圧部２１ａが押圧され、ロックピン２１の先端部が凹部５ａに係合する。すなわち、モータ２３を駆動させると、ウォームギア２６、平歯車２７を介してカム２９が回転する。このため、モータ２３の駆動が停止されている状態でロックピン２１に対して凹部５ａに係合する方向または解除する方向に力が加わっても、平歯車２７の回転がウォームギア２６によって規制され、ロックピン２１の移動が不能となる。換言すれば、ロックピン２１は、モータ２３の駆動によってのみ凹部５ａに係脱可能となっている。したがって、ロックピン２１の駆動機構は、モータ２３の非駆動状態にあってはロックピン２１と凹部５ａとの係合状態または係合解除状態を保持する自己保持機構となっている。なお、ここではウォームギア２６、平歯車２７及びカム２９を用いて自己保持機構を構成しているが、ロックピン２１の駆動機構はこうした構成に限定されるものではない。また、カム２９が回転する範囲は、同カム２９がゴムストッパ３０に接触することによって規制されるようになっている。
【００１９】
こうしたカム２９を駆動させるモータ２３は、図４に示すように、制御手段としての制御ＥＣＵ３１によって駆動制御されている。そこで、この制御ＥＣＵ３１の回路構成について図４に従って説明する。
【００２０】
制御ＥＣＵ３１には、前記モータ２３、給電規制手段としてのシフト連動スイッチ３６及び照合ＥＣＵ３７が接続されている。
シフト連動スイッチ３６は、図示しないシフトレバーの近傍に設けられ、同シフトレバーの移動に連動して開閉動作を行うスイッチである。このシフト連動スイッチ３６は、シフトポジションがパーキングポジションに位置するときに閉状態となり、他のポジションに位置するときに開状態となる。なお、シフト連動スイッチ３６は、リミットスイッチやリードスイッチなど、シフトポジションに応じて接点の開閉を行う有接点式スイッチによって構成されている。こうした機械的なスイッチをシフト連動スイッチ３６として用いることにより、回路を簡単に構成することができる。しかも、ノイズ等の影響を受けにくいため、シフト連動スイッチ３６の誤作動も確実に防止される。また、パーキングポジションに位置するとは、シフトレバーがＰ位置にあること及び変速機のパーキングロックが機能していることのうちの少なくとも一方の状態であることと定義する。
【００２１】
照合ＥＣＵ３７は、車両の所有者（運転者）によって所持される携帯機（図示略）と相互通信を行い、携帯機に設定されたＩＤコードと自身に設定されたＩＤコードとの照合を行う。そして、それらＩＤコード同士が一致したことを条件としてエンジンを始動可能な状態にする。換言すれば、照合ＥＣＵ３７は、前記ＩＤコード同士が一致しないときにはエンジンを始動不能な状態にする。なお、本実施形態においてエンジンは、車両室内に設けられたエンジン始動・停止スイッチ（図示略）が操作されたときに、始動・停止するようになっている。
【００２２】
また、照合ＥＣＵ３７は、前記ＩＤコード同士が一致するか否かなどを条件として、制御ＥＣＵ３１に対して暗号化した所定の駆動要求信号を出力する。詳しくは、照合ＥＣＵ３７は、前記ＩＤコード同士が一致したときに制御ＥＣＵ３１に対してロック解除コードを含む駆動要求信号を出力する。一方、照合ＥＣＵ３７は、前記ＩＤコード同士が一致しなくなったときに制御ＥＣＵ３１に対してロックコードを含む駆動要求信号を出力する。
【００２３】
制御ＥＣＵ３１は、マイクロコンピュータ（マイコン）３２、ＤＣ−ＤＣコンバータ３３、２つのトランジスタＴＲ１，ＴＲ２、２つのダイオードＤ１，Ｄ２及びスイッチング部としての２つのリレー３４，３５を備えている。
【００２４】
マイコン３２は、具体的には図示しないＣＰＵ、ＲＯＭ、ＲＡＭからなるＣＰＵユニットによって構成されている。そして、マイコン３２には、ＤＣ−ＤＣコンバータ３３の出力端子及び各トランジスタＴＲ１，ＴＲ２のベース端子が接続されている。
【００２５】
ＤＣ−ＤＣコンバータ３３は、バッテリ電圧をマイコン３２の駆動電圧に変換し、マイコン３２に対して給電を行う。なお、本実施形態においてＤＣ−ＤＣコンバータ３３の入力端子はシフト連動スイッチ３６の一端に接続され、同シフト連動スイッチ３６の他端はバッテリ（図示略）のプラス端子に接続されている。すなわち、ＤＣ−ＤＣコンバータ３３は、シフト連動スイッチ３６を介してバッテリのプラス端子に接続されている。
【００２６】
また、ＤＣ−ＤＣコンバータ３３とシフト連動スイッチ３６とをつなぐ電気経路には、各リレー３４，３５のコイル部Ｌ１，Ｌ２の一端が接続されている。そして、コイル部Ｌ１の他端はトランジスタＴＲ１のコレクタ端子に接続され、コイル部Ｌ２の他端はトランジスタＴＲ２のコレクタ端子に接続されている。各トランジスタＴＲ１，ＴＲ２のエミッタ端子は接地されている。このため、マイコン３２からトランジスタＴＲ１，ＴＲ２に対してＨレベルの制御信号が出力されると、トランジスタＴＲ１，ＴＲ２が駆動し、対応するリレー３４，３５のコイル部Ｌ１，Ｌ２に電流が流れる。すなわち、マイコン３２からトランジスタＴＲ１，ＴＲ２に対して制御信号が出力されるとリレー３４，３５が駆動する。
【００２７】
さらに、ＤＣ−ＤＣコンバータ３３とシフト連動スイッチ３６とをつなぐ電気経路には、各リレー３４，３５の第１固定接点ＣＰ１，ＣＰ４が接続されている。また、各リレー３４，３５の第２固定接点ＣＰ２，ＣＰ５は接地されている。そして、リレー３４の可動接点ＣＰ３はモータ２３の一端に接続され、リレー３５の可動接点ＣＰ６はモータ２３の他端に接続されている。
【００２８】
なお、各リレー３４，３５の可動接点ＣＰ３，ＣＰ６は、コイル部Ｌ１，Ｌ２が励磁されたとき、すなわちリレー３４，３５の駆動時にのみ第１固定接点ＣＰ１，ＣＰ４と導通し、リレー３４，３５の非駆動時には第２固定接点ＣＰ２、ＣＰ５と導通するようになっている。よって、リレー３４，３５の非駆動時には、モータ２３は駆動しないようになっている。
【００２９】
したがって、本実施形態においては、マイコン３２、各リレー３４，３５及びモータ２３の上流側の給電経路に、シフト連動スイッチ３６が設けられた状態となっている。すなわち、制御ＥＣＵ３１の給電経路にシフト連動スイッチ３６が設けられた状態となっている。このため、マイコン３２、各リレー３４，３５及びモータ２３には、シフト連動スイッチ３６が閉状態となったときに電力が供給される。換言すれば、シフト連動スイッチ３６が開状態となっているときには、電力供給が完全に絶たれるため、マイコン３２、リレー３４，３５及びモータ２３は機能しなくなる。つまり、制御ＥＣＵ３１は、シフトポジションがパーキングポジションに位置するときにのみモータ２３の駆動が可能となる。そして、シフト連動スイッチ３６の閉状態においてマイコン３２から各トランジスタＴＲ１，ＴＲ２に対して制御信号が出力されたとき、その制御信号に基づいて各リレー３４，３５が駆動し、モータ２３が駆動する。
【００３０】
また、マイコン３２には、一対のダイオードＤ１，Ｄ２を介して照合ＥＣＵ３７が接続されている。詳しくは、マイコン３２にはダイオードＤ１のアノード端子及びダイオードＤ２のカソード端子が接続され、ダイオードＤ１のカソード端子及びダイオードＤ２のアノード端子が照合ＥＣＵ３７に接続されている。そして、マイコン３２は、照合ＥＣＵ３７から出力された駆動要求信号がダイオードＤ２を介して入力されたときに、その駆動要求信号に基づいてトランジスタＴＲ１，ＴＲ２に制御信号を出力する。
【００３１】
詳しくは、マイコン３２に対してロック解除コードを含む駆動要求信号が入力された場合、マイコン３２は、トランジスタＴＲ１に対してＨレベルの信号を出力して同トランジスタＴＲ１を駆動する。このため、リレー３４のコイル部Ｌ１が励磁され、可動接点ＣＰ３と第１固定接点ＣＰ１とが導通する。これにより、モータ２３は正回転方向に回転するようになっている。つまり、リレー３４が駆動されたときには、カム２９が前記矢印Ｆ１方向に回転され、ロックピン２１の先端部と凹部５ａとの係合が解除される。
【００３２】
一方、マイコン３２に対してロックコードを含む駆動要求信号が入力された場合、マイコン３２は、トランジスタＴＲ２に対してＨレベルの信号を出力して同トランジスタＴＲ２を駆動する。このため、リレー３５のコイル部Ｌ２が励磁され、可動接点ＣＰ６と第１固定接点ＣＰ４とが導通する。これにより、モータ２３は逆回転方向に回転するようになっている。つまり、リレー３５が駆動されたときには、カム２９が前記矢印Ｆ２方向に回転され、ロックピン２１の先端部と凹部５ａとが係合する。
【００３３】
したがって、本実施形態によれば以下のような効果を得ることができる。
（１）マイコン３２、各リレー３４，３５及びモータ２３の給電経路、すなわち制御ＥＣＵ３１の給電経路には、シフト連動スイッチ３６が設けられている。そして、シフト連動スイッチ３６は、シフトポジションがパーキングポジションに位置するときに閉状態となり、他のポジションに位置するときに開状態となる。つまり、本実施形態において給電規制手段は、シフトポジションがパーキングポジションに位置するときに制御手段（制御ＥＣＵ３１）の給電経路を遮断し、他のポジションに位置するときに制御手段（制御ＥＣＵ３１）の給電経路を導通するシフト連動スイッチ３６によって構成されている。このため、モータ２３は、シフトポジションがパーキングポジションに位置しているときにのみ駆動可能となる。車両の走行中、シフトポジションは必ずパーキングポジション以外のポジションに位置しているため、車両の走行中におけるモータ２３の駆動が確実に禁止される。よって、ノイズなどに起因する電子式ステアリングロック装置１の誤作動を確実に防止することができる。
【００３４】
（２）シフト連動スイッチ３６は、マイコン３２、各リレー３４，３５及びモータ２３の給電経路に設けられている。このため、シフト連動スイッチ３６が開状態になると、制御ＥＣＵ３１全体の機能が停止する。よって、ノイズなどに起因する電子式ステアリングロック装置１の誤作動をより確実に防止することができる。また、シフト連動スイッチ３６と制御ＥＣＵ３１との間に必要な電気経路が１経路のみで済むため、シフト連動スイッチ３６と制御ＥＣＵ３１との間の電気経路を単純な構成にすることができる。
【００３５】
（３）シフト連動スイッチ３６は、マイコン３２、各リレー３４，３５及びモータ２３の上流側の給電経路に設けられている。このため、たとえシフト連動スイッチ３６の下流側の給電経路で車両ボディとの短絡等が生じても、該スイッチ３６が開状態となっていれば、その電流リーク等によってマイコン３２、各リレー３４，３５及びモータ２３に電力が給電されてしまうことはない。よって、電流リーク等に起因する電子式ステアリングロック装置１の誤作動を確実に防止することができる。
（第２実施形態）
次に、本発明を具体化した第２実施形態を図５及び図６に基づいて説明する。なお、以下の各実施形態では、第１実施形態と相違する点を主に述べ、共通する点については同一の部材番号を付すのみとしてその説明を省略する。
【００３６】
本実施形態において前記第１実施形態と異なる点は、図５に示すように、制御ＥＣＵ３１に、ロック位置検出スイッチ３８、抵抗Ｒ及びダイオードＤ３が接続されている点である。
【００３７】
ロック位置検出スイッチ３８は、図６に示すように、前記ロックピン２１の基端部近傍に設けられたノーマルクローズタイプのメカニカルスイッチであり、本実施形態ではリミットスイッチによって構成されている。このロック位置検出スイッチ３８は、図６（ａ）に示すように、ロックピン２１が前記ロックボディ４のガイド孔４ｂから突出しているときに閉状態となる。そして、図６（ｂ）に示すように、ロック位置検出スイッチ３８は、ロックピン２１がロックボディ４内に収容されているときに開状態となる。つまり、ロック位置検出スイッチ３８は、ロックピン２１が前記ステアリングシャフト５の凹部５ａに係合しているときに閉状態となり、同凹部５ａとの係合が解除されているときに開状態となるように設けられている。
【００３８】
図５に示すように、こうしたロック位置検出スイッチ３８は、一端がバッテリのプラス端子に接続され、他端がダイオードＤ３のアノード端子及び抵抗Ｒの一端に接続されている。そして、抵抗Ｒの他端は接地され、ダイオードＤ３のカソード端子は、シフト連動スイッチ３６とリレー３４，３５の第１固定接点ＣＰ１，ＣＰ４とをつなぐ電気経路に接続されている。すなわち、ロック位置検出スイッチ３８は、シフト連動スイッチ３６と並列に接続されている。このため、シフト連動スイッチ３６及びロック位置検出スイッチ３８のうちの少なくとも一方が閉状態となっているときにのみ制御ＥＣＵ３１に対して給電される。
【００３９】
したがって、ロックピン２１が凹部５ａとの係合状態から解除される前にシフト連動スイッチ３６が開状態となっても、ロック位置検出スイッチ３８が開状態となるまでは制御ＥＣＵ３１に対して給電され、モータ２３は駆動しつづける。すなわち、ロック解除の途中でシフトポジションがパーキングポジション以外のポジションに切り換えられたとしても、ロック解除が完了するまでモータ２３は駆動しつづける。そして、ロック解除が完了した時点でモータ２３への電力供給が遮断されるため、ロック解除の完了とともにモータ２３の駆動が停止される。
【００４０】
また、ロック位置検出スイッチ３８とダイオードＤ３のアノード端子とをつなぐ電気経路には、マイコン３２が接続されている。詳しくは、該電気経路の電位がマイコン３２に入力されるようになっている。この電気経路の電位は、ロック位置検出スイッチ３８が閉状態のときにＨレベルとなり、開状態のときにＬレベルとなる。このため、マイコン３２は、この電位に基づいてロック位置検出スイッチ３８の開閉状態を検出可能となる。そして、マイコン３２は、この検出結果に変化があったときに、トランジスタＴＲ１，ＴＲ２に対する制御信号の出力を停止する。つまり、マイコン３２は、ロック位置検出スイッチ３８の開閉状態に変化があったときにモータ２３の駆動を停止させる。また、マイコン３２は、該検出結果を、ダイオードＤ１を介して照合ＥＣＵ３７に出力するようになっている。これにより、照合ＥＣＵ３７は、ロックピン２１と凹部５ａとの係脱状態を認識可能となっている。
【００４１】
したがって、本実施形態によれば、前記第１実施形態における上記（１）〜（３）に記載の効果に加えて、以下のような効果を得ることができる。
（４）シフト連動スイッチ３６が開状態となっても、ロックピン２１がステアリングシャフト５の凹部５ａとの係合状態から解除されるまでモータ２３は駆動しつづけるようになる。このため、たとえロックピン２１が凹部５ａとの係合状態から解除される前にシフト連動スイッチ３６が開状態となっても、ステアリングシャフト５が回転不能となってしまうことはない。すなわち、ロックピン２１と凹部５ａとの係合を確実に解除することができる。
【００４２】
また、ロックピン２１が凹部５ａとの係合から解除されると、モータ２３に対する給電が遮断される。このため、ノイズ等に起因してマイコン３２からトランジスタＴＲ１，ＴＲ２に対して制御信号が出力されたとしても、その制御信号によってモータ２３が駆動されることはない。
【００４３】
（５）マイコン３２は、ロック位置検出スイッチ３８の開閉状態に変化があったときにモータ２３の駆動を停止するようになっている。すなわち、マイコン３２は、モータ２３の駆動をフィードバック制御するようになっている。このため、ロックピン２１と凹部５ａとの係合が完了した状態または解除した状態においてモータ２３が駆動しつづけることがない。よって、モータ２３への負荷が軽減され、同モータ２３の寿命を長くすることができる。
（第３実施形態）
次に、本発明を具体化した第３実施形態を図７及び図８に基づいて説明する。
【００４４】
本実施形態において前記第１実施形態と異なる点は、前記シフト連動スイッチ３６に代えて、イグニッション信号に基づいて動作するスイッチング素子を給電規制手段として用いた点である。
【００４５】
詳しくは、図７に示すように、バッテリと制御ＥＣＵ３１とをつなぐ電気経路には、スイッチング素子としてのｎチャネルパワーＭＯＳＦＥＴ（ＦＥＴ）４１が接続されている。このＦＥＴ４１は、ドレイン端子がバッテリに接続され、ソース端子が制御ＥＣＵ３１に接続されている。また、ＦＥＴ４１のゲート端子にはインバータ４２の出力端子が接続されている。よって、ＦＥＴ４１は、インバータ４２からＨレベルの信号（作動信号）が出力されたときに作動するようになっている。インバータ４２の入力端子には抵抗Ｒ１の一端及びコンデンサＣの一端が接続され、コンデンサＣの他端は接地されている。そして、抵抗Ｒ１の他端には、エンジンから出力されるイグニッション信号が入力されるようになっている。
【００４６】
イグニッション信号は、図７に矢印Ａで示す箇所においては、図８に示すようにエンジン停止中にＬレベルのフラット波形となり、エンジン駆動中にパルス波形（イグニッションパルス）となる信号である。また、エンジン駆動中におけるイグニッション信号は、図７に矢印Ｂで示す箇所においては、抵抗Ｒ１及びコンデンサＣによって積分され、図８に示すようにＨレベルを維持した波形となる。このため、インバータ４２は、Ｌレベルのイグニッション信号が入力されたとき、すなわちエンジン停止中にのみ、ＦＥＴ４１に対して作動信号を出力する。言い換えれば、ＦＥＴ４１は、エンジン停止中にのみ制御ＥＣＵ３１の給電経路を導通し、エンジン駆動中には制御ＥＣＵ３１の給電経路を遮断する。つまり、本実施形態において給電規制手段は、エンジン駆動中に制御手段（制御ＥＣＵ３１）の給電経路を遮断し、エンジン停止中に制御手段（制御ＥＣＵ３１）の給電経路を導通するスイッチング素子（ＦＥＴ４１）によって構成されている。
【００４７】
したがって、本実施形態によれば以下のような効果を得ることができる。
（６）エンジンの駆動中にはＦＥＴ４１によって制御ＥＣＵ３１の給電経路が遮断されるため、モータ２３は駆動不能となる。よって、エンジンの駆動中における電子式ステアリングロック装置１の誤作動を確実に防止することができる。
【００４８】
（７）エンジンの駆動状態を検出するためにイグニッション信号が用いられている。このため、エンジンの駆動状態を確実に検出することができ、モータ２３がエンジンの駆動中に誤作動してしまうことを確実に防止することができる。
【００４９】
なお、本発明の実施形態は以下のように変更してもよい。
・  前記第３実施形態において、図９に示すように、前記第２実施形態と同様に、ロック位置検出スイッチ３８、抵抗Ｒ２及びダイオードＤ３を、ＦＥＴ４１と並列に接続してもよい。このようにすれば、たとえロックピン２１が凹部５ａとの係合状態から解除される前にエンジンが始動されても、ステアリングシャフト５が回転不能となってしまうことがなくなり、前記第２実施形態における（４），（５）に記載の効果と同等の効果を得ることができる。また、以下に示す各実施形態においても同様に、ロック位置検出スイッチ３８、抵抗Ｒ２及びダイオードＤ３を、各種給電規制手段と並列に接続してもよい。
【００５０】
・  前記第３実施形態においてＦＥＴ４１は、イグニッション信号に基づいて作動するようになっている。しかし、このＦＥＴ４１は、イグニッション信号に限らず、例えば車速やオルタネータ出力など、エンジンの駆動状態を検出可能な信号に基づいて作動するようになっていてもよい。
【００５１】
・  また、ＦＥＴ４１は、例えば前記照合ＥＣＵ３７からの出力信号に基づいて作動するようになっていてもよい。詳しくは、図１０（ａ）に示すように、ＦＥＴ４１のゲート端子に照合ＥＣＵ３７を接続する。また、前記ロックピン２１が凹部５ａとの係合状態から解除されているか否かを検出するロック位置検出センサ４４をマイコン３２に接続する。なお、このロック位置検出センサ４４は、前記ロック位置検出スイッチ３８や、フォトインタラプタなどの光センサ等によって構成される。これにより、ロックピン２１が凹部５ａとの係合状態から解除されたときに、マイコン３２から制御ＥＣＵ３７に対してロック解除信号を出力させる。そして、前記携帯機と照合ＥＣＵ３７とのＩＤコードが一致し、且つマイコン３２からロック解除信号が出力されたときに、照合ＥＣＵ３７からＦＥＴ４１に対する作動信号の出力を停止させ、制御ＥＣＵ３１の給電経路を遮断するようにする。このようにすれば、車両の所有者が車両に搭乗し、且つロックピン２１が凹部５ａとの係合状態から解除されたときに、制御ＥＣＵ３１の給電経路を遮断することができる。しかも、制御ＥＣＵ３１以外のＥＣＵ（照合ＥＣＵ３７）によって制御ＥＣＵ３１の給電経路が遮断されるため、両ＥＣＵ３１，３７が共に誤作動しないと電子式ステアリングロック装置１の誤作動は発生しない。よって、電子式ステアリングロック装置１の誤作動を防止することができる。つまり、この場合、給電規制手段は、エンジンを始動可能な状態で制御手段（制御ＥＣＵ３１）の給電経路を遮断し、エンジンを始動不能な状態で制御手段（制御ＥＣＵ３１）の給電経路を導通するスイッチング素子（ＦＥＴ４１）によって構成されている。
【００５２】
さらに加えて、図１０（ｂ）に示すように、マイコン３２に対して、車速信号やシフト信号などを入力するようにする。そして、車速が０でないとき、すなわち車両が走行しているときや、シフトポジションがパーキングポジションに位置していないときになどには、マイコン３２から前記各トランジスタＴＲ１，ＴＲ２に対して駆動信号を出力させないようにする。このようにすれば、たとえ照合ＥＣＵ３７が誤作動してマイコン３２に駆動要求信号が出力されても、車両が走行しているときや、シフトポジションがパーキングポジションに位置していないときになどにはマイコン３２はモータ２３を駆動しない。このため、車両が走行している状態での電子式ステアリングロック装置１の誤作動をより確実に防止することができる。
【００５３】
なお、ここでは照合ＥＣＵ３７からの出力信号に基づいてＦＥＴ４１を作動させるようにしているものの、例えばエンジンＥＣＵやシフトＥＣＵなど、他のＥＣＵによってＦＥＴ４１の作動を制御するようにしてもよい。このようにすれば、該ＦＥＴ４１の作動を制御するＥＣＵ、制御ＥＣＵ３１及び照合ＥＣＵ３７の全てが誤作動しないと電子式ステアリングロック装置１の誤作動は発生しなくなる。よって、電子式ステアリングロック装置１の誤作動をより一層確実に防止することができるようになる。
【００５４】
・  前記第１実施形態では、制御ＥＣＵ３１の給電経路にシフト連動スイッチ３６を接続し、シフトポジションがパーキングポジションに位置していないときに制御ＥＣＵ３１の給電経路を遮断するようになっている。しかし、このシフト連動スイッチを、イグニッション電源経路が通電したとき、すなわち車両の機能ポジションが「ＯＮ」の状態（電子燃料噴射制御装置やその他の電気部品に給電している状態）となったときに制御ＥＣＵ３１の給電経路を遮断するスイッチング素子に変更してもよい。具体的には、例えば図１１に示すように、バッテリと制御ＥＣＵ３１とをつなぐ電気経路に該スイッチング素子としてのリレー４５の接点部を接続し、同リレー４５のコイル部をイグニッション電源経路４６に並列に接続する。より詳しくは、リレー４５の接点部はＢ接点（ノーマルクローズ）となっており、その一端がバッテリに接続され、他端が制御ＥＣＵ３１に接続されている。また、リレー４５のコイル部の一端はイグニッションスイッチ４７の一端に接続され、他端は接地されている。イグニッションスイッチ４７は、接点保持型のスイッチによって構成され、他端がバッテリに接続されている。このため、イグニッションスイッチ４７が閉状態となったときには、イグニッション電源経路４６が通電されるとともに、リレー４５の接点部が開状態となる。よって、イグニッション電源経路４６が通電されているときには制御ＥＣＵ３１の給電経路が遮断され、制御ＥＣＵ３１の機能が停止する。このようにしても、通常、エンジンの駆動中や車両の走行中にはイグニッション電源経路４６が通電しているため、エンジンの駆動中や車両の走行中に電子式ステアリングロック装置１が誤作動してしまうことが確実に防止される。すなわち、この場合、給電規制手段は、車両の機能ポジションが「ＯＮ」状態となったときに制御手段（制御ＥＣＵ３１）の給電経路を遮断するスイッチング素子（リレー４５）によって構成されている。
【００５５】
なお、ここでイグニッションスイッチ４７とは、単に機能ポジションを「ＯＮ」の状態にする機能に加え、エンジンを始動・停止させる機能を有するものも含むものと定義する。また、スイッチング素子は、リレー４５に限らず、前記ＦＥＴ４１やパワートランジスタなどの無接点スイッチング素子によって構成されてもよい。
【００５６】
・  前記各実施形態では、車両室内に設けられたエンジン始動・停止スイッチが操作されることにより、エンジンの始動・停止が行われるようになっている。しかし、エンジンは、一般的なキーシリンダにメカキーを挿入・回転させることによって始動・停止されるようになっていてもよい。そして、特にこの場合には、例えば前記第１実施形態におけるシフト連動スイッチ３６を、キーシリンダにメカキーを挿入したときに制御ＥＣＵ３１の給電経路を遮断するキー連動スイッチに変更してもよい。なお、この場合、キーシリンダにメカキーが挿入される前に、ロック解除が行われるようになっている必要がある。その具体例としては、前記照合ＥＣＵ３７によるＩＤコードの照合を、キーシリンダにメカキーが挿入される前に行わせるとともに、前記第２実施形態に示したロック位置検出スイッチ３８をキー連動スイッチと並列に接続することが挙げられる。つまり、この場合においても給電規制手段は、エンジンを始動可能な状態で制御手段（制御ＥＣＵ３１）の給電経路を遮断し、エンジンを始動不能な状態で制御手段（制御ＥＣＵ３１）の給電経路を導通するスイッチング素子（ここではキー連動スイッチ）によって構成されている。
【００５７】
・  前記第１実施形態では、制御ＥＣＵ３１の給電経路にシフト連動スイッチ３６を設けることにより、シフトポジションに基づいて制御ＥＣＵ３１に対する電力供給を制御するようになっている。しかし、シフト連動スイッチ３６に代えて、例えばパーキングブレーキが作動しているときにのみ閉状態となるパーキングブレーキ連動スイッチを設けてもよい。また、シフト連動スイッチ３６とパーキングブレーキ連動スイッチとを併用し、各スイッチを直列に接続してもよい。
【００５８】
・  前記各実施形態では、スイッチング部としてリレー３４，３５を用いている。しかし、スイッチング部として、パワートランジスタやパワーＭＯＳＦＥＴ等の無接点スイッチング素子を用いてもよい。具体的には、例えば図１２に示すように、スイッチング部は、４つのｎチャネルパワーＭＯＳＦＥＴ４８ａ〜４８ｄを用いたブリッジ回路によって構成されてもよい。このようにすれば、例えばＦＥＴ４８ａ，４８ｂを作動させることによりモータ２３を正回転させ、ＦＥＴ４８ｃ，４８ｄを作動させることによりモータ２３を逆回転させることができる。なお、図１２には前記第１実施形態の制御ＥＣＵ３１の変更例を示すものの、前記各実施形態の制御ＥＣＵ３１を同様に変更してもよい。
【００５９】
・  前記第２実施形態では、ロック位置検出スイッチ３８としてリミットスイッチを用いている。しかし、ロック位置検出スイッチ３８は、リミットスイッチに限らず、リードスイッチなど、ロックピン２１の位置に応じて接点の開閉を行う有接点式スイッチであれば何でも適用可能である。
【００６０】
・  前記第２実施形態では、ロック位置検出スイッチ３８の開閉状態をマイコン３２に入力するようにしている。そして、マイコン３２は、この入力信号に基づき、ロック位置検出スイッチ３８の開閉状態に変化があったときに、モータ２３の駆動を停止するようになっている。しかし、こうしたマイコン３２に対するロック位置検出スイッチ３８の開閉状態の入力を省略してもよい。
【００６１】
・  前記各実施形態では、アクチュエータとしてモータ２３を用いている。しかし、アクチュエータはモータ２３に限らず、例えばソレノイド等、ロックピン２１を電気的に駆動できるものであれば何でもよい。
【００６２】
・  前記各実施形態では、電子式車両盗難防止装置として、ステアリングシャフト５の回転の可否を制御する電子式ステアリングロック装置１に具体化している。しかし、電子式車両盗難防止装置は、例えば車輪の回転をロックピン２１相当の部材によって規制する電子式走行規制装置や、シフトポジションの切換操作をロックピン２１相当の部材によって規制する電子式シフトロック装置等であってもよい。
【００６３】
次に、特許請求の範囲に記載された技術的思想のほかに、前述した実施形態によって把握される技術的思想を以下に列挙する。
（１）  電子式車両盗難防止装置において、前記制御手段には、前記ロック位置検出スイッチの開閉状態を示す信号が入力され、該制御手段は、前記ロック位置検出スイッチの開閉状態に変化があったときに、前記アクチュエータの駆動を停止させること。この技術的思想（１）に記載の発明によれば、ロック手段と可動部材との係脱完了状態においてアクチュエータが駆動しつづけることが防止される。よって、アクチュエータへの負荷が軽減され、同アクチュエータの耐久性を向上させることができる。
【００６４】
（２）  電子式車両盗難防止装置において、前記可動部材は、ステアリングシャフトであること。この技術的思想（２）に記載の発明によれば、ステアリングシャフトの回転を規制することにより、車両の盗難防止を確実に行うことができる。
【００６５】
【発明の効果】
以上詳述したように、請求項１に記載の発明によれば、電子式車両盗難防止装置の誤作動を確実に防止することができる。
【００６６】
また、ロック手段を可動部材から確実に離脱させることができる。
【図面の簡単な説明】
【図１】本発明を電子式ステアリングロック装置に具体化した第１実施形態を示す側面図。
【図２】図１のＡ−Ａ線断面図。
【図３】図１のＢ−Ｂ線断面図。
【図４】第１実施形態の制御回路を示す回路図。
【図５】第２実施形態の制御回路を示す回路図。
【図６】（ａ），（ｂ）は、同実施形態に用いられるロック位置検出スイッチとロック手段との関係を示す概略図。
【図７】第３実施形態の制御回路を示す回路図。
【図８】同実施形態の給電規制手段の作動を制御するイグニッション信号の波形を示す波形図。
【図９】他の実施形態の制御回路を示す回路図。
【図１０】（ａ），（ｂ）は、他の実施形態の制御回路を示す回路図。
【図１１】他の実施形態の制御回路を示す回路図。
【図１２】他の実施形態の制御回路を示す回路図。
【図１３】従来のステアリングロック装置を示す断面図。
【符号の説明】
１…電子式車両盗難防止装置としての電子式ステアリングロック装置、５…可動部材としてのステアリングシャフト、５ａ…凹部、２１…ロック手段としてのロックピン、２３…アクチュエータとしてのモータ、３１…制御手段としての制御ＥＣＵ、３２…マイクロコンピュータ（マイコン）、３４，３５…スイッチング部としてのリレー、３６…給電規制手段としてのシフト連動スイッチ、３８…ロック位置検出スイッチ。
【図１】
0004658406.tif 000002
【図２】
0004658406.tif 000003
【図３】
0004658406.tif 000004
【図４】
0004658406.tif 000005
【図５】
0004658406.tif 000006
【図６】
0004658406.tif 000007
【図７】
0004658406.tif 000008
【図８】
0004658406.tif 000009
【図９】
0004658406.tif 000010
【図１０】
0004658406.tif 000011
【図１１】
0004658406.tif 000012
【図１２】
0004658406.tif 000013
【図１３】
0004658406.tif 000014